(57)【要約】【課題】  開閉状態を容易に視覚的に把握できる収納袋を提供する。【解決手段】  形状形成部３３は、ジッパー１５の第１のシート２１側に設けられている。形状形成部３３は、収納袋１の開状態において、出入口９ｈに所定形状の開口部を形成する第１の形状となり、閉状態において出入口９ｈを閉じる第２の形状に変形する。【選択図】図１
2018090266.tif 000002
【特許請求の範囲】
【請求項１】
収納物を収納部に出し入れする出入口を備えた袋本体と、
前記出入口に設けられ、使用者の操作に応じて当該出入口を開状態と閉状態とのいずれかの状態になるジッパーと、
前記袋本体あるいは前記ジッパーに設けられ、前記開状態において、前記出入口に所定形状の開口部を形成する第１の形状となり、前記閉状態において前記出入口を閉じる第２の形状に変形する形状形成部と
を有する収納袋。
【請求項２】
前記袋本体は、重なり合って位置する第１のシートと第２のシートとで形成され、
前記第１のシートと前記第２のシートとの間に前記出入口が形成されており、
前記ジッパーは、
前記第１のシートの内面側に形成された第１のレールと、
前記第２のシートの内面側に形成され、前記閉状態において前記第１のレールと篏合する第２のレールと
を有し、
前記形状形成部は、
前記第１のレールあるいは前記第２のレールの少なくとも一方のレール側に設けられ、前記開状態において、前記出入口に所定形状の前記開口部を形成する前記第１の形状となる
請求項１に記載の収納袋。
【請求項３】
前記形状形成部は、前記袋本体あるいは前記ジッパーの外面側に設けられている
請求項１又は請求項２に記載の収納袋。
【請求項４】
前記形状形成部は、前記第１のシート側と前記第２のシート側との一方のシート側にのみ設けられている
請求項２に記載の収納袋。
【請求項５】
前記形状形成部は、前記出入口の長手方向において、中央から端部の間の一部の領域にのみ設けられている
請求項１〜４のいずれかに記載の収納袋。
【請求項６】
前記形状形成部は、前記閉状態において、前記出入口が前記開口部を形成する向きに前記袋本体あるいは前記ジッパーを付勢している
請求項１〜５のいずれかに記載の収納袋。
【請求項７】
前記形状形成部は、当該形状形成部が形成されている前記袋本体あるいは前記ジッパーに比べて、弾性率が高い部材で形成されている
請求項１〜６のいずれかに記載の収納袋。
【請求項８】
前記開口部の最大幅は、前記出入口の長手方向の長さの１／２０以上である
請求項１〜７のいずれかに記載の収納袋。
【発明の詳細な説明】
【技術分野】
【０００１】
本発明は、食品保存等に用いられる開閉可能な収納袋に関するものである。
【背景技術】
【０００２】
食品の保存等に用いられる袋体として、合成樹脂で形成された袋の開口部にジッパーを設け、開口を繰り返し開閉可能に構成した収納袋がある。
このような収納袋に食品等を入れて保存する際には、密閉性を確保したいという要請がある。ジッパーを備えた収納袋は、ジッパーのかみ合わせを誤ると開口が閉じられない。
【発明の概要】
【発明が解決しようとする課題】
【０００３】
従来の収納袋では、ジッパーが閉じられた状態と、閉じられていない状態とで、収納袋全体の形状が略同じであり、保存袋に食品等の中身を入れようとすると、開いている状態なのか、閉じている状態なのかが、目視では判別しにくく、指等でジッパーの状態を開いている状態なのか、閉じている状態なのかを確認する手間がかかる。また、ジッパーが閉じられていないにもかかわらず、閉じていると思って、密封されない状態で収納した食品等が適切に保存されないことがある。
【０００４】
本発明はかかる事情に鑑みてなされたものであり、その目的は、開閉状態を容易に視覚的に把握できる収納袋を提供することにある。
【課題を解決するための手段】
【０００５】
上述した従来技術の問題を解決し、上述した目的を達成するために、本発明の収納袋は、収納物を収納部に出し入れする出入口を備えた袋本体と、前記出入口に設けられ、使用者の操作に応じて当該出入口を開状態と閉状態とのいずれかの状態になるジッパーと、前記袋本体あるいは前記ジッパーに設けられ、前記開状態において、前記出入口に所定形状の開口部を形成する第１の形状となり、前記閉状態において前記出入口を閉じる第２の形状に変形する形状形成部とを有する。
【０００６】
この構成によれば、開状態において、形状形成部が第１の形状になることで、出入口に所定形状の開口部が形成される。そのため、使用者は、出入口の形状から、収納袋が開状態か閉状態かを視覚的に容易に把握できる。また、形状形成部が、使用者の操作に応じて第２の形状に変形することで、ジッパーを適切に閉状態にできる。
【０００７】
好適には、前記袋本体は、重なり合って位置する第１のシートと第２のシートとで形成され、前記第１のシートと前記第２のシートとの間に前記出入口が形成されており、前記ジッパーは、前記第１のシートの内面側に形成された第１のレールと、前記第２のシートの内面側に形成され、前記閉状態において前記第１のレールと篏合する第２のレールとを有し、前記形状形成部は、前記第１のレールあるいは前記第２のレールの少なくとも一方のレール側に設けられ、前記開状態において、前記出入口に所定形状の前記開口部を形成する前記第１の形状となる。
【０００８】
この構成によれば、出入口を形成する第１のシートと第２のシートのうち形状形成部が設けられたシートが、開状態において、前記出入口に開口部を形成する第１の形状となる。そのため、使用者は、出入口の形状から、収納袋が開状態か閉状態かを視覚的に容易に把握できる。
【０００９】
好適には、前記形状形成部は、前記袋本体あるいは前記ジッパーの外面側に設けられている。
【００１０】
この構成によれば、袋本体を形成後に、形状形成部を固定しやすく、製造工程を効率化できる。
【００１１】
好適には、前記形状形成部は、前記第１のシート側と前記第２のシート側との一方のシート側にのみ設けられている。
【００１２】
この構成によれば、形状形成部の材料費を削減でき、低コストで実現できる。
【００１３】
好適には、前記形状形成部は、前記出入口の長手方向において、中央から端部の間の一部の領域にのみ設けられている。
【００１４】
この構成によれば、上記一部の領域にのみ形状形成部を設けて、開状態を維持できる。一部にしか形状形成部を使わないので、製造コストを安価にできる。
【００１５】
好適には、前記形状形成部は、前記閉状態において、前記出入口が前記開口部を形成する向きに前記袋本体あるいは前記ジッパーを付勢している
【００１６】
この構成によれば、閉状態から開状態になったときに、形状形成部の付勢力により、出入口に開口部が形成される。
【００１７】
好適には、前記形状形成部は、当該形状形成部が形成されている前記袋本体あるいは前記ジッパーに比べて、弾性率が高い部材で形成されている。
【００１８】
この構成によれば、比較的簡単な構成で形状形成部に開口部を形成することができる。
【００１９】
好適には、前記開口部の最大幅は、前記出入口の長手方向の長さの１／２０以上である
【００２０】
この構成によれば、開状態において、使用者が開口部を容易に視認できる。
【発明の効果】
【００２１】
本発明によれば、開閉状態を容易に視覚的に把握できる収納袋を提供することができる。
【図面の簡単な説明】
【００２２】
【図１】図１は、本発明の実施形態に係る収納袋の開状態の斜視図である。
【図２】図２は、本発明の実施形態に係る収納袋の閉状態の斜視図である。
【図３】図３は、図１に示す収納袋のジッパーの断面構成図である。
【図４】図４は、図１に示す収納袋の開状態において、平面方向から見た図である。
【図５】図５は、本発明の第２実施形態の収納袋を出入口側方向から見た外観図であり、形状形成部の形成領域を説明するための図である。
【図６】図６は、本発明の第３実施形態の収納袋を出入口側方向から見た外観図であり、形状形成部の形成領域を説明するための図である。
【発明を実施するための形態】
【００２３】
＜第１実施形態＞
図１は、本発明の実施形態に係る収納袋１の開状態の斜視図である。図２は、本発明の実施形態に係る収納袋１の閉状態の斜視図である。
【００２４】
図３は、図１に示す収納袋１のジッパー１５の断面構成図である。図４は、図１に示す収納袋１の開状態において、平面方向から見た図である。
【００２５】
袋本体１１は、合成樹脂で形成された１枚の長方形状のシートを、長手方向の中央で折り返し、対向するシートの、折り返し辺９ａに直交する２つの側辺９ｂで溶着することによって袋状に形成されている。溶着されていない箇所が収納部に収容部を出し入れする出入口となる。
折返し辺９ａの両側のシートのうち一方が第１のシート２１となり、他方が第２のシート２２となる。
本実施形態では、1枚のシートを中央で折り返して第１のシート２１及び第２のシート２２を形成したが、長方形状の２枚のシートの３辺を溶着して袋本体１１を形成してもよい。
【００２６】
袋本体１１を構成する可撓性の合成樹脂には、ポリエチレン系樹脂やポリプロピレン系樹脂、ポリアミド樹脂等の熱可塑性樹脂成形体を用いることができ、これらを用いることで気密性を備えることができる。
【００２７】
袋本体１１は、図１に示すように、折り返し辺９ａの反対側が、出入口９ｈとなっている。袋本体１１には、出入口９ｈを横断するように、すなわち出入口９ｈを周回するように、ジッパー１５が設けられている。
【００２８】
ジッパー１５は、線ファスナーであり、開閉時に移動するスライダーがあっても、なくてもよい。
ジッパー１５は、袋本体１１の出入口９ｈに設けられ、使用者の操作に応じて袋本体１１の出入口９ｈを図１及び図４に示す開状態と図２に示す閉状態とのいずれかの状態にする。
【００２９】
図３に示すように、ジッパー１５は、第１のレール３１及び第２のレール３２を主に有する。
第１のレール３１は、第１のシート２１の内面２１ａ側に形成された内側凹レール２１１及び外側凹レール２１２を有する。
外側凹レール２１２は、窪みを形成する先端部に内側に向けて幅方向に突き出た凸部２１２ａを有している。
【００３０】
第２のレール３２は、第２のシート２２の内面２２ａ側に形成された内側凸レール２２１，外側凸レール２２２を有する。
外側凸レール２２２の先端は、幅方向に突き出た凸部２２２ａを有している。
【００３１】
第１のレール３１の内側凹レール２１１と、第２のレール３２の内側凸レール２２１とは対向して位置し、ジッパー１５の閉状態において相互に篏合する。
【００３２】
第１のレール３１の外側凹レール２１２と、第２のレール３２の外側凸レール２２２とは対向して位置し、ジッパー１５の閉状態において相互に篏合する。
【００３３】
収納袋１を開状態から閉状態するときに、外側凸レール２２２の凸部２２２ａが、外側凹レール２１２の凸部２１２ａを乗り越えて、外側凹レール２１２内に移動するように、指やスライダーによって力が加えられる。
そして、外側凹レール２１２内に外側凸レール２２２が嵌め込まれると、凸部２１２ａと凸部２２２ａが係合し、一定以上の力が加わらないと外れなくなる。これにより、収納袋１の密封状態が安定する。
【００３４】
形状形成部３３は、ジッパー１５の第１のシート２１側に設けられている。
形状形成部３３は、収納袋１の開状態において、出入口９ｈに所定形状の開口部を形成する第１の形状となり、閉状態において出入口９ｈを閉じる第２の形状に変形する。
【００３５】
形状形成部３３の部材は、例えば、形状形成部３３が形成された袋本体１１あるいはジッパー１５の材料に比べて弾性率が高い、塩化ビニール、ポリエチレン、ポリカーボネイト等の樹脂部材、バネ等の鋼材（例えば、細い針金状のバネ）が用いられる。また、その他、木、紙、空気等を所定の条件で調整して弾性率を規定してもよい。
さらには、樹脂部材等によりジッパー１５と一体として形成してもよい。
【００３６】
ここで、開状態における出入口９ｈの開口部の最大幅Ｗは、出入口９ｈの長手方向の長さＬの１／２０以上である。これにより、開状態において、使用者が開口部を容易に視認できる。
【００３７】
そのため、収納袋１の開状態（第１のレール３１と第２のレール３２とが篏合していない状態）においては、指等で押さえないフリーな状態で形状形成部３３が第１の形状となっている。そのため、第１のレール３１と第２のレール３２との間（第１のシート２１と第２のシート２２との間）に開口部が形成され、ジッパー１５は開状態となる。使用者は、収納袋１に所定形状の開口部が形成されていることを見ることで、収納袋１が開状態であることを視覚的に容易に把握できる。
【００３８】
一方、形状形成部３３に指等で力が加えられて、第１のレール３１と第２のレール３２とを嵌め合わせ状態にすると、形状形成部３３が第２の形状に変形し、出入口９ｈ（開口部）は閉じられる。この状態で、第１のレール３１と第２のレール３２とが篏合することで、収納部が密封される。
【００３９】
本実施形態では、形状形成部３３は、ジッパー１５において、第１のシート２１の外面２１ｂ側（収納部と反対側）に設けられている。
また、形状形成部３３は、出入口９ｈの長手方向において、全域に亘って形成されている。
【００４０】
形状形成部３３は、例えば、袋本体１１及びジッパー１５より高い弾性率の部材で形成されており、袋本体１１の閉状態において、出入口９ｈが開口部を形成する向きに袋本体１１あるいはジッパー１５を付勢している。
そのため、簡単な構成で、収納袋１が閉状態から開状態になったときに、形状形成部３３の付勢力により、出入口９ｈに開口部を即座に自動的に形成できる。
【００４１】
以上説明したように、収納袋１によれば、収納袋１の開状態においては、指等で押さえないフリーな状態で形状形成部３３が第１の形状となっている。そのため、ジッパー１５に所定形状の開口部が形成され、ジッパー１５は開状態となる。使用者は、収納袋１に所定形状の開口部が形成されていることを見ることで、収納袋１が開状態であることを視覚的に容易に把握できる。
【００４２】
一方、収納袋１によれば、収納袋１の閉状態においては、形状形成部３３が変形して第２の形状になり、第１のレール３１と第２のレール３２とを嵌め合わせることができ、ジッパー１５を閉状態にできる。
【００４３】
また、収納袋１では、第１のシート２１の外面２１ｂ側（収納部と反対側）に形状形成部３３が形成されている。そのため、袋本体１１を形成した後に形状形成部３３を容易に取り付けることができ、製造工程を効率化できる。
【００４４】
また、収納袋１では、ジッパー１５の第１のシート２１側にのみ形状形成部３３を形成している。そのため、第１のシート２１及び第２のシート２２の双方に形状形成部を設ける場合には比べて製造コストを抑えることができる。
【００４５】
＜第２実施形態＞
本実施形態では、形状形成部を第１のシート２１側と第２のシート２２側の双方に形成した場合である。
図５は、本実施形態の収納袋を出入口側方向から見た外観図であり、形状形成部の形成領域を説明するための図である。
【００４６】
図５に示すように、本実施形態の収納袋では、形状形成部３３１，３３２が、ジッパー１５の第１のシート２１側と第２のシート２２側との双方に位置している。
これにより、第１実施形態に比べて、開状態における開口部をより広く形成しやすくなる。
【００４７】
＜第３実施形態＞
本実施形態では、出入口９ｈの長手方向において、中央から両端部の間の一部の領域にのみ設けられている
図６は、本実施形態の収納袋を出入口側方向から見た外観図であり、形状形成部の形成領域を説明するための図である。
【００４８】
図６に示すように、本実施形態の収納袋では、形状形成部３３ａ，３３ｂが、ジッパー１５の第１のシート２１側において、中央から両端部の第１の領域と第２の領域にのみ位置している。
これにより、少ない量の形状形成部３３ｎｉより、開状態において開口部を形成でき、製造コストを抑えることができる。
【００４９】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００５０】
上述した実施形態で、ジッパー１５に重ねて形状形成部３３を形成した場合を例示したが、第１のシート２１あるいは第２のシート２２に形状形成部を形成してもよい。
【００５１】
また、本発明の袋本体の形状は、上述したように2枚のシートを重ね合わせた形状以外であってもよい。
【産業上の利用可能性】
【００５２】
本発明は、ジッパー付き袋に適用可能である。
【符号の説明】
【００５３】
１…収納袋
９ｈ…出入口
１１…袋本体
１５…ジッパー
２１…第１のシート
２２…第２のシート
３１…第１のレール
３２…第２のレール
３３，３３１，３３２，３３ａ，３３ｂ…形状形成部
【図１】
2018090266.tif 000003
【図２】
2018090266.tif 000004
【図３】
2018090266.tif 000005
【図４】
2018090266.tif 000006
【図５】
2018090266.tif 000007
【図６】
2018090266.tif 000008